(57)【特許請求の範囲】
【請求項１】
光ディスクが載置される載置面を有するディスクトレィと、
上記ディスクトレィの載置面に平行な方向にディスクトレィを移動自在に支持するとともにディスクトレィの移動方向に平行な両側端部に設けられた一対のトレィガイドと、上記トレィガイドを上記ディスクトレィの載置面に直交する方向に対して移動自在に支持する一対のトレィスライダと、上記トレィスライダに係合されるカム溝と上記ディスクトレィの載置面に平行な回転軸とを有するカムギアとを有し、装置内部に対してディスクトレィをローディング動作させるローディング機構部とを備える光ディスク再生装置であって、
上記ディスクトレィには、ラック部が設けられ、
上記ローディング機構部には、上記トレィガイドに支持されて、上記ディスクトレィのラック部に噛合されるとともにカムギアに噛合されて、ディスクトレィの載置面に平行な方向にディスクトレィを移動するフレームに支持された移動用ギアを有していて、
上記移動用ギアには、カム凸部が形成され、
上記フレームには、このカム凸部に対応するガイドスリットが設けられ、このガイドスリットに沿って上記移動用ギアのカム凸部が移動することによって、移動用ギアをディスクトレィの載置面に直交する方向に移動自在に支持することを特徴とする光ディスク再生装置。
【請求項２】
装置内部に装填された光ディスクを回転自在に支持するチャッキング部材を備え、上記トレィスライダは、上記チャッキング部材を上記ディスクトレィのディスク載置面に直交する方向に移動自在に支持することを特徴とする請求項１記載の光ディスク再生装置。
【発明の詳細な説明】
【０００１】
【発明の属する技術分野】
本発明は、例えば光ディスク等の円盤状光記録媒体から映像信号等の情報信号を再生する光ディスク再生装置に関し、特に装置内部に対する光ディスクの引き込み動作及び吐き出し動作を行うローディング機構を有する光ディスク再生装置に関する。
【０００２】
【従来の技術】
従来、ディスクプレーヤ装置には、主に楽音信号が記録された直径１２０ｍｍ或いは８０ｍｍの光ディスク（以下、ＣＤと称する。）と、主に映像信号が記録された直径寸法３００ｍｍ或いは２００ｍｍの光ディスク（以下、ＬＤと称する。）とから情報信号を再生可能なものがある。
【０００３】
このディスクプレーヤ装置は、概略、光ディスクが載置されるディスクトレィと、光ディスクから情報信号を再生する光ピックアップ装置を有する再生部と、装置内部に対してディスクトレィの引き込み動作及び吐き出し動作を行うローディング機構部と、光ディスクに対して再生部を傾斜動作させてスキュー調整を行うティルト機構部とを備えている。
【０００４】
再生部は、対物レンズを有する光ピックアップ装置と、この光ピックアップ装置を光ディスクの半径方向に移動するスレッド機構とを備えている。ローディング機構部は、ディスクトレィをスライド移動するトレィスライダと、このトレィスライダと係合されたカム溝を有するカムギアと、このカムギアを回転駆動するローディング駆動用モータとを備えている。ティルト機構部は、光ピックアップ装置を支持するガイドレールと、このガイドレールを揺動自在に支持する支持基体と、ガイドレールを揺動する揺動部材と、この揺動部材を駆動するティルト駆動用モータとを備えている。
【０００５】
以上のように構成されたディスクプレーヤ装置は、ローディング駆動用モータによってローディング機構部が駆動されて、光ディスクが載置されたディスクトレィが装置内部に対して引き込み動作及び吐き出し動作される。また、このディスクプレーヤ装置は、ティルト駆動用モータによってティルト機構部が駆動されて、ガイドレールを介して光ディスクに対して光ピックアップ装置が傾斜動作されることによって、光ディスクに対する対物レンズの光軸の向きが調整される。そして、ディスクプレーヤ装置は、再生部の光ピックアップ装置によって、光ディスクから情報信号を再生する。
【０００６】
【発明が解決しようとする課題】
ところで、ディスクプレーヤ装置は、ローディング機構部の修理等を行う際、光ディスクがローディングされた状態で、ローディング機構部の調整等の作業を行う必要がある。
【０００７】
従来のディスクプレーヤ装置は、一対のトレィスライダをスライド移動するカムギアを有するローディング機構部が、ディスクトレィの載置面に平行な底面部に位置して配設されていた。したがって、このディスクプレーヤ装置は、装置内部に対して光ディスクがローディングされた際、ディスクトレィ等の部材によってローディング機構部が覆われた状態になっていた。
【０００８】
したがって、このディスクプレーヤ装置は、例えばローディング機構部の修理等を行う際に、装置内部に光ディスクがローディングされた状態で、ローディング機構部の分解、調整、組立を行うことが困難であるため、ローディング機構部の修理やメンテナンス等の作業性が悪いという問題があった。
【０００９】
また、ディスクプレーヤ装置は、間欠ギアによってトレィスライダを間欠的に駆動する構造のため、トレィスライダを駆動していない時にこのトレィスライダの位置を保持するスライダ保持機構が必要となる。このため、ディスクプレーヤ装置は、ローディング機構部全体の構成が複雑になるため、ローディング機構部の動作信頼性が低いという問題があった。
【００１０】
そこで、本発明は、装置内部に光ディスクがローディングされた状態でローディング機構部の修理等の作業を行うことを可能にするとともに、ローディング機構部の動作信頼性を向上することができる光ディスク再生装置を提供することを目的とする。
【００１１】
【課題を解決するための手段】
上述した目的を達成するため、本発明に係る光ディスク再生装置は、光ディスクが載置される載置面を有するディスクトレィと、上記ディスクトレィの載置面に平行な方向にディスクトレィを移動自在に支持するとともにディスクトレィの移動方向に平行な両側端部に設けられた一対のトレィガイドと、上記トレィガイドを上記ディスクトレィの載置面に直交する方向に対して移動自在に支持する一対のトレィスライダと、上記トレィスライダに係合されるカム溝と上記ディスクトレィの載置面に平行な回転軸とを有するカムギアとを有し、装置内部に対してディスクトレィをローディング動作させるローディング機構部とを備える光ディスク再生装置であって、上記ディスクトレィには、ラック部が設けられ、上記ローディング機構部には、上記トレィガイドに支持されて、上記ディスクトレィのラック部に噛合されるとともにカムギアに噛合されて、ディスクトレィの載置面に平行な方向にディスクトレィを移動するフレームに支持された移動用ギアを有していて、上記移動用ギアには、カム凸部が形成され、上記フレームには、このカム凸部に対応するガイドスリットが設けられ、このガイドスリットに沿って上記移動用ギアのカム凸部が移動することによって、移動用ギアをディスクトレィの載置面に直交する方向に移動自在に支持することを特徴とする。
【００１２】
以上のように構成した光ディスク再生装置は、ディスクトレィのディスク載置面に平行な回転軸を有するカムギアが配設されたことによって、装置内部に光ディスクがローディングされた際に、ディスクトレィによってローディング機構部が包囲されないため、ローディング機構部の修理等の作業性の向上が図られる。
【００１３】
【発明の実施の形態】
以下、本発明の具体的な実施形態について、ディスクプレーヤ装置を図１乃至図１８を参照して説明する。実施の形態のディスクプレーヤ装置１は、光ディスク２としてＣＤとＬＤとから情報信号をそれぞれ再生することが可能ないわゆるコンパチブルタイプの再生装置である。
【００１４】
このディスクプレーヤ装置１は、図１に示すように、外筐の正面側に位置してフロントパネル３が配設されている。このフロントパネル３には、装置内部に光ディスク２を装填するために、ディスク装填用開口部３Ａが開設されている。また、フロントパネル３には、各種操作を作動させるための操作ボタン群が配設されている。そして、ディスクプレーヤ装置１は、光ディスク２が載置されて、フロントパネル３のディスク装填用開口部３Ａに対して引き込み動作及び吐き出し動作されるディスクトレィ５を有している。
【００１５】
ディスクプレーヤ装置１は、概略、図２、図３及び図４に示すように、光ディスク２から情報信号を再生する光ピックアップ装置１４を有する再生部６と、光ディスク２が装填されるディスク装填用開口部３Ａを開閉する開閉機構部７と、装置内部に対して光ディスク２の引き込み動作及び吐き出し動作を行うローディング機構部８と、このローディング機構部８によってローディングされた光ディスク２を回転自在に保持するチャッキング機構部９とを備えている。
【００１６】
また、ディスクプレーヤ装置１は、チャッキング機構部９により保持された光ディスク２に対して光ピックアップ装置１４が有する対物レンズ１４Ａの光軸を傾斜させるティルト機構部１０と、ローディング機構部８及びティルト機構部１０を駆動する駆動機構部１１とを備えている。そして、これら各機構部は、シャーシ４に組み付けられている。
【００１７】
再生部６は、光ディスク２から情報信号を再生する光ピックアップ装置１４と、光ディスク２を保持するターンテーブル１５を有しこのターンテーブル１５を回転駆動するスピンドルモータ１６と、光ディスク２の信号記録領域に対して光ピックアップ装置１４を移動するスレッドモータ１７Ａを有するスレッド機構１７とを備えている。
【００１８】
光ピックアップ装置１４は、レーザ光を出射する図示しない半導体レーザと、図示しないハーフミラー、ビームスプリッタ或いはコリメータレンズ等の光学部品と、光ディスク２の記録トラックにレーザ光を合焦する対物レンズ１４Ａと、この対物レンズ１４Ａをフォーカシング方向とトラッキング方向に対して駆動する図示しない二軸アクチュエータ機構と、光ディスク２に対する対物レンズ１４Ａの光軸の傾きを検出するスキューセンサ１４Ｂと、図示しないディテクター等からなる光検出器等の部材や機構とから構成されている。
【００１９】
スキューセンサ１４Ｂは、光ディスク２に対してスキュー検出光を出射する図示しない発光素子と、この光ディスク２によって反射されたスキュー検出光を受光する図示しない受光素子とからなる。光ピックアップ装置１４は、このスキューセンサ１４Ｂの出力信号によって、後述するティルト機構部１０が駆動されて、光ディスク２に対する対物レンズ１４Ａの光軸の傾きに応じてスキュー調整が行われる。そして、光ピックアップ装置１４は、光ディスク２の信号記録領域から情報信号を再生する。
【００２０】
ディスクトレィ５の主面上には、図２に示すように、最外周に位置して直径３００ｍｍのＬＤが載置される載置凹部５Ａと、この載置凹部５Ａの内周側に位置して直径２００ｍｍのＬＤが載置される載置凹部５Ｂと、この載置凹部５Ｂの内周側に位置して直径１２０ｍｍのＣＤが載置される載置凹部５Ｃと、最内周に位置して直径８０ｍｍのＣＤが載置される載置凹部５Ｄとがそれぞれ同心円状に形成されている。
【００２１】
また、ディスクトレィ５の主面上には、光ディスク２に対して光ピックアップ装置１４が移動される移動領域に亘って、略矩形状の再生用開口部５Ｅが切り欠かれている。
【００２２】
さらに、ディスクトレィ５には、移動方向に平行な両側端部の下端側に、ガイド凸部１８が一体に形成されている。このガイド凸部１８には、外方に臨む側面部に、ディスクトレィ５の移動距離に応じてガイド溝１８Ａが凹設されており、また下端側に、ディスクトレィ５の移動距離に応じてラック部１８Ｂが形成されている。そして、このディスクトレィ５は、ローディング機構部８によって、装置内部のディスク装填位置に対して往復動作される。
【００２３】
開閉機構部７は、図３、図４及び図５に示すように、ディスク装填用開口部３Ａを開閉する扉部材１９と、この扉部材１９を支持する取付け板２０と、この取付け板２０を駆動する左右一対の扉駆動板２１Ａ、２１Ｂと、これら扉駆動板２１Ａ、２１Ｂをスライド移動自在に支持する左右一対の扉スライダ２２Ａ、２２Ｂと、これら扉スライダ２２Ａ、２２Ｂを支持する左右一対の支持アーム２３Ａ、２３Ｂと、これら支持アーム２３Ａ、２３Ｂに揺動習性を付与する引っ張りコイルばね２４Ａ、２４Ｂとから構成されている。
【００２４】
扉部材１９は、略矩形板状に形成されており、ディスク装填用開口部３Ａを閉塞するに足る外形寸法を有している。
【００２５】
取付け板２０は、断面Ｌ字状に形成されており、一端部に扉部材１９がねじ止め固定されている。また、取付け板２０は、他端部の両側が扉駆動板２１Ａ、２１Ｂにそれぞれ支持されている。
【００２６】
扉駆動板２１Ａ、２１Ｂには、主面上に、第１の支持リブ２６Ａ及び第２の支持リブ２６Ｂがそれぞれ一体に突出形成されている。
【００２７】
扉スライダ２２Ａ、２２Ｂには、作動凸部２５が一体に突出形成されており、この作動凸部２５を介して支持アーム２３Ａ、２３Ｂに連結されている。また、扉スライダ２２Ａ、２２Ｂには、第１のガイドスリット２７Ａ及び第２のガイドスリット２７Ｂがそれぞれ開設されており、これらガイドスリット２７Ａ、２７Ｂに扉駆動板２１Ａ、２１Ｂの支持リブ２６Ａ、２６Ｂがそれぞれ挿通されて、扉駆動板２１Ａ、２１Ｂをガイドスリット２７Ａ、２７Ｂに沿ってスライド移動自在に支持している。
【００２８】
また、後述するローディング機構部８のフレーム３４Ａ、３４Ｂには、逆Ｌ字状の第１のガイドスリット３５Ａ及び第２のガイドスリット３５Ｂがそれぞれ開設されている。フレーム３４Ａ、３４Ｂには、これらガイドスリット３５Ａ、３５Ｂに、扉スライダ２２Ａ、２２Ｂのガイドスリット２７Ａ、２７Ｂに挿通された扉駆動板２１Ａ、２１Ｂの支持リブ２６Ａ、２６Ｂが挿通されて、ガイドスリット３５Ａ、３５Ｂに沿って扉駆動板２１Ａ、２１Ｂがスライド移動自在に支持されている。
【００２９】
支持アーム２３Ａ、２３Ｂは、略三角板状に形成されており、各コーナ部に、断面円弧状の操作リブ２８Ａ、ガイドスリット２８Ｂ、及び揺動支持穴２８Ｃとがそれぞれ設けられている。支持アーム２３Ａ、２３Ｂには、操作リブ２８Ａが、後述するローディング機構部８のトレィスライダ３２の扉作動用スリット５１に挿通されている。さらに、支持アーム２３Ａ、２３Ｂには、一側端部に隣接してばね取付け部２８Ｄが形成されている。また、フレーム３４Ａには、支持アーム２３Ａ、２３Ｂの揺動支持穴２８Ｃに挿通された支持ピン３６が立設されている。
【００３０】
引っ張りコイルばね２４Ａ、２４Ｂは、一端部がフレーム３４Ａ、３４Ｂに取り付けられ、他端部が支持アーム２３Ａ、２３Ｂのばね取付け部２８Ｄに取り付けられている。そして、引っ張りコイルばね２４Ａ、２４Ｂは、支持アーム２３Ａ、２３Ｂに、弾性力によって、扉部材１９がディスク装填用開口部３Ａを閉塞する方向の揺動習性を付与している。
【００３１】
ローディング機構部８は、図４及び図５に示すように、ディスクトレィ５を水平方向に移動する左右一対のアイドラギア３０Ａ、３０Ｂと、ディスクトレィ５をスライド移動自在に支持する左右一対のトレィガイド３１Ａ、３１Ｂと、ディスクトレィ５を垂直方向に移動する左右一対のトレィスライダ３２Ａ、３２Ｂと、これらトレィスライダ３２Ａ、３２Ｂを駆動するコントロールギア３３と、これらディスクトレィ５、トレィスライダ３２Ａ、３２Ｂ及びコントロールギア３３等を支持する左右一対のフレーム３４Ａ、３４Ｂとを備えている。
【００３２】
アイドラギア３０Ａは、外周側に設けられた第１のギア部３７Ａと、この第１のギア部３７Ａの内周側に設けられた第２のギア部３７Ｂとを有している。また、アイドラギア３０Ｂは、第１のギア部３８が設けられている。
【００３３】
これらアイドラギア３０Ａ、３０Ｂは、連結軸３９の両端側にそれぞれ配設されており、この連結軸３９を介して連結されている。そして、これらアイドラギア３０Ａ、３０Ｂは、トレィガイド３１Ａ、３１Ｂに回転自在に支持された状態でディスクトレィ５の下方側に位置して配設されており、ディスクトレィ５のラック部１８Ｂに第１のギア部３７Ａ、３８が噛合されている。
【００３４】
また、アイドラギア３０Ａには、第２のギア部３７Ｂの外周側に位置して、略楕円状のカム凸部３７Ｃが一体に突出形成されている。アイドラギア３０Ａは、このカム凸部３７Ｃが、フレーム３４Ａに開設されたカムスリット３５Ｃに対応する位置に配設され、フレーム３４Ａに回転自在に支持されている。
【００３５】
トレィガイド３１Ａ、３１Ｂは、ディスクトレィ５のガイド凸部１８に対応する略矩形板状の基体部４０Ａと、ディスクトレィ５のガイド凸部１８をガイドするガイド部４０Ｂと、アイドラギア３０Ａ、３０Ｂを連結する連結軸３９を回転自在に支持する支持部４０Ｃとから構成されている。
【００３６】
基体部４０Ａには、先端部に、ディスクトレィ５をスライド移動自在に支持する第１のガイドピン４１が立設されており、このガイドピン４１がディスクトレィ５のガイド溝１８Ａに挿通されて、ディスクトレィ５がスライド移動自在に支持されている。また、基体部４０Ａには、トレィスライダ３２を支持する第１の支持ピン４２Ａ及び第２の支持ピン４２Ｂがそれぞれ立設されている。
【００３７】
ガイド部４０Ｂは、基体部４０Ａの下端側からディスクトレィ５側に断面Ｌ字状に折曲されて形成されている。支持部４０Ｃは、基体部４０Ａの下端側に向かって折曲されて形成されており、先端部に支持穴４３が穿設されている。
【００３８】
トレィスライダ３２Ａ、３２Ｂは、略矩形板状に形成されており、主面上に、略Ｓ字状の第１のガイドスリット４５Ａ乃至第４のガイドスリット４５Ｄがそれぞれ開設されている。これらトレィスライダ３２Ａ、３２Ｂには、第１のガイドスリット４５Ａ及び第３のガイドスリット４５Ｃに、トレィガイド３２Ａ、３２Ｂの支持ピン４２Ａ、４２Ｂがそれぞれ挿通されている。また、これら支持ピン４２Ａ、４２Ｂは、フレーム３４Ａに開設されたガイドスリット３５Ｄ、３５Ｅに挿通されてスライド移動自在に支持されている。
【００３９】
また、トレィスライダ３２Ａ、３２Ｂには、第２のガイドスリット４５Ｂ及び第４のガイドスリット４５Ｄに、後述するチャッキング機構部９が有するガイド部材６７Ａ、６７Ｂの支持リブ６８Ａ、６８Ｂがそれぞれ挿通されている。また、これら支持リブ６８Ａ、６８Ｂは、フレーム３４Ａに開設されたガイドスリット３５Ｆ、３５Ｇに挿通されて、スライド移動自在に支持されている。
【００４０】
また、トレィスライダ３２Ａ、３２Ｂには、一端部側の上端部に、ラック部４６が設けられており、このラック部４６にリンクギア４７Ａ、４７Ｂが噛合されている。リンクギア４７Ａ、４７Ｂは、トレィスライダ３２Ａ、３２Ｂのラック部４６に噛合されて、連結軸４８を介して一体的に回転するように連結されている。したがって、トレィスライダ３２Ａ、３２Ｂは、リンクギア４７Ａ、４７Ｂを介して、一体的にスライド移動する。
【００４１】
さらに、トレィスライダ３２Ａ、３２Ｂには、下端側の側端部に、カム凸部５０が一体に突出形成されており、このカム凸部５０がフレーム３４Ａに開設されたガイドスリット３５Ｈに挿通されて、コントロールギア３３に係合されている。
【００４２】
コントロールギア３３は、外周部にギア部３３Ａが設けられており、中央部に回転支持穴３３Ｂが穿設されている。このコントロールギア３３は、フレーム３４Ａに設けられた支持リブ３５Ｉに、回転支持穴３３Ｂが支持ねじ５３を介して回転自在に支持されている。すなわち、このコントロールギア３３は、ディスクトレィ５の載置面に平行な回転軸を有している。
【００４３】
また、このコントロールギア３３には、主面上に、トレィスライダ３２Ａを駆動するための第１のカム溝５２Ａと、後述するティルト機構部１０が有するティルトスライダ５９を駆動するための第２のカム溝５２Ｂとが、所定の曲率を以て渦巻状を呈してそれぞれ凹設されている。そして、これら第１のカム溝５２Ａ及び第２のカム溝５２Ｂは、曲率が変化する区間をそれぞれ有している。
【００４４】
ティルト機構部１０は、図６に示すように、光ピックアップ装置１４をスライド移動自在に支持するガイドレール５５と、このガイドレール５５を揺動自在に支持するデッキブロック５６と、ガイドレール５５を揺動する揺動レバー５７と、この揺動レバー５７を揺動操作するティルト駆動板５８と、このティルト駆動板５８をスライド移動させるティルトスライダ５９と、ティルト駆動板５８とティルトスライダ５９とを連結するティルトリンクギア６０Ａ、６０Ｂとを備えて構成されている。
【００４５】
ガイドレール５５は、樹脂材料によって略Ｕ字状に形成されている。ガイドレール５５には、内周部にラック部５５Ａが形成されており、このラック部５５Ａに光ピックアップ装置１４のスレッド機構１７が有するギアが噛合されている。また、ガイドレール５５には、外周部に、光ピックアップ装置１４をスライド移動自在に支持するレール部５５Ｂが形成されている。
【００４６】
さらに、ガイドレール５５には、一方の側面部に、第１の支持リブ６１Ａ乃至第５の支持リブ６１Ｅが、所定の間隔を以てそれぞれ一体に突出形成されており、これら第１の支持リブ６１Ａ乃至第５の支持リブ６１Ｅを介してデッキブロック５６に揺動自在に支持されている。また、ガイドレール５５には、略Ｕ字状に曲げられた中央部に、揺動操作凸部５５Ｃが一体に突出形成されている。
【００４７】
デッキブロック５６は、ガイドレール５５を揺動自在に支持する第１のガイド穴５６Ａ乃至第５のガイド穴５６Ｅがそれぞれ設けられており、これら第１のガイド穴５６Ａ乃至第５のガイド穴５６Ｅに、ガイドレール５５の第１の支持リブ６１Ａ乃至第５の支持リブ６１Ｅがそれぞれ挿通されて、ガイドレール５５を支持している。
【００４８】
また、デッキブロック５６には、ガイドレール５５の揺動操作凸部５５Ｃが挿通される円弧状の揺動スリット５６Ｆが開設されている。さらに、デッキブロック５６には、揺動レバー５７を回動自在に支持する支持凸部５６Ｇが一体に突出形成されている。また、デッキブロック５６には、ティルト駆動板５８を支持する支持凸部５６Ｈ、５６Ｉがそれぞれ一体に突出形成されている。
【００４９】
揺動レバー５７は、略く字状を呈して形成されており、中央部に揺動支点穴５７Ａが穿設されている。また、揺動レバー５７には、一端部に、ティルト駆動板５８に連結される連結凸部５７Ｃが一体に突出形成されており、他端部に、ガイドレール５５の揺動操作凸部５５Ｃが挿通されて連結される連結穴５７Ｃが穿設されている。そして、揺動レバー５７は、揺動支点穴５７Ａに、デッキブロック５６の支持凸部５６Ｇが挿通されて、この揺動支持凸部５６Ｇに揺動自在に支持されている。
【００５０】
ティルト駆動板５８は、略矩形板状に形成されており、一端部の下端側にラック部５８Ａが設けられている。また、ティルト駆動板５８には、他端部に、揺動レバー５７の連結凸部５７Ｂが挿通される連結穴５８Ｂが穿設されている。
【００５１】
また、ティルト駆動板５８は、長手方向に、互いに平行な第１のガイドスリット６２Ａ及び第２のガイドスリット６２Ｂがそれぞれ開設されており、これらガイドスリット６２Ａ、６２Ｂに挿通されるガイドねじ６３を介して、デッキブロック５６にスライド移動自在に支持されている。
【００５２】
ティルトスライダ５９は、略矩形板状に形成されており、長手方向の一側端部に亘ってラック部５９Ａが形成されている。また、このティルトスライダ５９には、コーナ部にカム凸部５９Ｂが一体に突出形成されており、またこのコーナ部と対向するコーナ部に支持リブ５９Ｃが一体に突出形成されている。
【００５３】
そして、ティルトスライダ５９は、カム凸部５９Ｂが、フレーム３４Ａに設けられたガイドスリット３５Ｊに挿通されて、コントロールギア３３の第２のカム溝５９Ｂに係合されている。また、ティルトスライダ５９は、支持リブ５９Ｃが、フレーム３４Ａに開設されたガイドスリット３５Ｋに挿通されて、スライド移動自在に支持されている。
【００５４】
ティルトリンクギア６０Ａは、ティルト駆動板５８のラック部５８Ａに噛合されており、またティルトリンクギア６０Ｂは、ティルトスライダ５９のラック部５９Ａに噛合されている。これらティルトリンクギア６０Ａとティルトリンクギア６０Ｂは、連結軸６４の両端部に配設されており、連結軸６４を介して一体的に回転駆動される。
【００５５】
チャッキング機構部９は、概略、ローディング機構部８のトレィスライダ３２Ａ、３２Ｂに両端部が跨って支持されたチャッキング板６５と、このチャッキング板６５の中央部に配設されたチャッキング部材６６とを備えている。
【００５６】
チャッキング板６５は、略矩形板状に形成されており、両端部にガイド部材６７Ａ、６７Ｂがそれぞれ配設されている。ガイド部材６７Ａ、６７Ｂには、支持リブ６８Ａ、６８Ｂがそれぞれ一体に突出形成されている。これら支持リブ６８Ａ、６８Ｂは、トレィスライダ３２Ａ、３２Ｂの第２のガイドスリット４５Ｂ及び第３のガイドスリット４５Ｃとにそれぞれ挿通されている。
【００５７】
チャッキング部材６６は、再生部６が有するターンテーブル１５に対向する位置に配設されており、光ディスク２を保持する際に生じる衝撃等を吸収する図示しない圧縮コイルばね、光ディスク２の中心部を挟んだ状態でターンテーブル１５に吸着するための図示しないマグネット等の部材を有している。
【００５８】
以上のように構成されたチャッキング機構部９は、チャッキング板６５が、ローディング機構部８のトレィスライダ３２Ａ、３２Ｂの移動に伴って、ターンテーブル１５に対して接離動作される。そして、チャッキング機構部９は、ターンテーブル１５とチャッキング部材６６との間に、光ディスク２を回転自在に保持する。
【００５９】
駆動機構部１１は、図７に示すように、コントロールギア３３を回転駆動する第１のギア７０と、この第１のギア７０を回転駆動する第２のギア７１と、この第２のギア７１を回転駆動する第１のプーリ７２と、この第１のプーリ７２を回転駆動する第２のプーリ７３と、この第２のプーリ７３を回転駆動する駆動モータ７４とを備えている。
【００６０】
第１のギア７０は、外周部に位置する第１のギア部７０Ａと、この第１のギア部７０Ａの内周側に位置する第２のギア部７０Ｂとを有している。そして、この第１のギア７０は、第２のギア部７０Ｂがコントロールギア３３のギア部３３Ａに噛合されて、フレーム３４Ａに設けられた支持リブ７５Ａに回転自在に支持されている。
【００６１】
第２のギア７１は、外周部に位置する第１のギア部７１Ａと、この第１のギア部７１Ａの内周側に位置する第２のギア部７１Ｂとを有している。そして、この第２のギア７１は、第２のギア部７１Ｂが第１のギア７０の第１のギア部７０Ａに噛合されて、フレーム３４Ａに設けられた支持リブ７５Ｂに回転自在に支持されている。
【００６２】
第１のプーリ７２は、外周部に位置するプーリ部７２Ａと、このプーリ部７２Ａの内周側に位置するギア部７２Ｂとを有している。そして、この第１のプーリ７２は、ギア部７２Ｂが第２のギア７１の第１のギア部７１Ａに噛合されて、フレーム３４Ａに設けられた支持リブ７５Ｃに回転自在に支持されている。
【００６３】
第２のプーリ７３は、外周部にプーリ部７３Ａを有しており、このプーリ部７３Ａと第１のプーリ７２のプーリ部７２Ａとの間にプーリベルト７６が掛け渡されている。駆動モータ７４は、回転軸７４Ａを有しており、フレーム３４Ａに穿設された取付け穴７５Ｄに回転軸７４Ａが挿通されて、フレーム３４Ａに取り付けられている。そして、駆動モータ７４には、回転軸７４Ａの先端部に第２のプーリ７３が配設されている。
【００６４】
以上のように構成された駆動機構部１１について、駆動モータ７４によってコントロールギア３３を回転駆動する動作を説明する。まず、駆動モータ７４は、回転軸７４Ａが回転駆動することによって、第２のプーリ７３が回転駆動されて、プーリベルト７６を介して第１のプーリ７２を回転駆動させる。
【００６５】
第１のプーリ７２は、回転駆動されることによって、ギア部７２Ｂを介して第２のギア７１の第２のギア部７１Ｂを回転駆動させる。第２のギア７１は、第２のギア部７１Ｂが回転駆動されることによって、第１のギア部７１Ａを介して第１のギア７０の第１のギア部７０Ａを回転駆動させる。そして、第１のギア７０は、第１のギア部７０Ａが回転駆動されることによって、第２のギア部７０Ｂを介してコントロールギア３３のギア部３３Ａを回転駆動させる。
【００６６】
つぎに、以上のように構成されたディスクプレーヤ装置１について、開閉機構部７がディスク装填用開口部３Ａを開閉する開閉動作、ローディング機構部８が光ディスク２が載置されたディスクトレィ５を装置内に引き込むローディング動作、及びティルト機構部１０がガイドレール５５を揺動するティルト動作を図面を参照してそれぞれ説明する。
【００６７】
まず、ディスクプレーヤ装置１は、図８に示すように、駆動機構部１１によって、コントロールギア３３が図８中に示す反時計方向に回転されることによって、アイドラギア３０Ａの第２のギア部３７Ｂが図８中に示す時計方向に回転駆動される。
【００６８】
アイドラギア３０Ａは、図８及び図９に動作順に示すように、第２のギア部３７Ｂが回転駆動されることに伴って第１のギア部３７Ａが回転駆動されて、この第１のギア部３７Ａによってディスクトレィ５のラック部１８Ｂをスライド移動する。また、アイドラギア３０Ａは、回転駆動されることによって、連結軸６４を介してアイドラギア３０Ｂを回転駆動させて、アイドラギア３０Ｂの第１のギア部３８によってディスクトレィ５のラック部１８Ｂをスライド移動させる。
【００６９】
すなわち、ディスクトレィ５は、アイドラギア３０Ａ、３０Ｂによりラック部１８Ｂを介して水平方向にスライド移動されて、装置内部に収納される。
【００７０】
アイドラギア３０Ａは、図９に示すように、回転駆動されることによりディスクトレィ５の水平方向のスライド移動が完了した後、カム凸部３７Ｃが、フレーム３４Ａのカムスリット３５Ｃに沿って移動可能な状態になる。したがって、アイドラギア３０Ａは、カム凸部３７Ｃがカムスリット３５Ｃに沿ってスライド移動することによって、図１０中に示すＡ方向に下降する。
【００７１】
アイドラギア３０Ａは、Ａ方向に下降することに伴ってトレィガイド３１Ａ、３１ＢをＡ方向に下降させる。また、アイドラギア３０Ａは、Ａ方向に下降されることによって、第２のギア部３７Ｂとコントロールギア３３との噛合状態が解除される。
【００７２】
トレィガイド３１Ａ、３１Ｂは、Ａ方向に下降されることによって、開閉機構部７の支持アーム２３Ａ、２３Ｂの操作リブ２８Ａが、扉作動用スリット５１に沿って移動されて、開閉機構部７によるディスク装填用開口部３Ａの閉塞動作を開始させる。
【００７３】
また、トレィスライダ３１Ａは、コントロールギア３３が回転駆動することによって、カム凸部５０が、このコントロールギア３３の第１のカム溝５２Ａ及びフレーム３４Ａ、３４Ｂのガイドスリット３５Ｈに沿って移動されて、このカム溝５２Ａの曲率が変化する位置に到達する。
【００７４】
そして、トレィスライダ３１Ａは、カム凸部５０が、第１のカム溝５２Ａの曲率が変化した区間を移動することに伴って、図１０中に示すＢ方向にスライド移動されると共にＡ方向に下降される。トレィスライダ３１Ａ、３１Ｂは、Ａ方向に下降されることに伴って、装置内部の所定の装填位置にディスクトレィ５を下降させる。
【００７５】
また、トレィスライダ３１Ａは、Ｂ方向にスライド移動されることによって、ラック部４６がリンクギア４７Ａを回転駆動させる。リンクギア４７Ａは、回転駆動されることによって、連結軸４８を介してリンクギア４７Ｂを回転駆動させるため、トレィスライダ３１Ａとトレィスライダ３１Ｂとを同期させてスライド移動させる。
【００７６】
さらに、トレィスライダ３１Ａ、３１Ｂは、Ａ方向に下降されることによって、チャッキング機構部９のガイド部材６７Ａ、６７Ｂの支持リブ６８Ａ、６８Ｂが、第２のガイドスリット４５Ｂ及び第４のガイドスリット４５Ｄに沿ってスライド移動されて、ガイド部材６７Ａ、６７ＢをＡ方向に下降させる。
【００７７】
また、開閉機構部７は、図１０、図１１、図１２及び図１３に動作順に示すように、上述したディスクトレィ５の水平方向のスライド移動が完了した後、引っ張りコイルばね２４Ａ、２４Ｂの弾性力によって、支持アーム２３Ａ、２３Ｂが時計方向に揺動される。
【００７８】
支持アーム２３Ａ、２３Ｂは、揺動されることによって、ガイドスリット２８Ｂに挿通された作動凸部２５を介して、扉スライダ２２Ａ、２２Ｂをフレーム３４Ａ、３４Ｂのガイドスリット３５Ａ、３５Ｂに沿ってスライド移動させる。扉スライダ２２Ａ、２２Ｂは、スライド移動されることによって、扉駆動板２１Ａ、２１Ｂの支持リブ２６Ａ、２６Ｂをガイドスリット２７Ａ、２７Ｂに沿ってスライド移動させる。扉駆動板２１Ａ、２１Ｂは、スライド移動されることによって、取付け板２０を介して扉部材１９を移動させて、ディスク装填用開口部３Ａを閉塞させる。
【００７９】
また、チャッキング機構部９は、図１４に示すように、ガイド部材６７Ａ、６７Ｂが下降されることによって、チャッキング板６５が下降されて、チャッキング部材６６がターンテーブル１５上に載置された光ディスク２を保持する。
【００８０】
つぎに、このディスクプレーヤ装置１について、ティルト機構部１０が、光ディスク２に対する光ピックアップ装置１４の対物レンズ１４Ａの光軸の傾きに応じて、ガイドレール５５を揺動させていわゆるスキュー調整を行う動作を以下説明する。
【００８１】
ティルト駆動機構部１０は、図１４に示すように、ディスクトレィ５の下降動作が完了した後、駆動機構部１１が、コントロールギア３３を図１４中に示す反時計方向に更に回転駆動させることによって、駆動動作される。コントロールギア３３は、回転駆動されることによって、ティルトスライダ５９のカム凸部５９Ｂが、第２のカム溝５２Ｂ及びフレーム３４Ａのガイドスリット３５Ｈに沿って移動されて、このカム溝５２Ｂの曲率が変化する位置に到達する。
【００８２】
そして、ティルトスライダ３２Ａ、３２Ｂは、カム凸部５０がカム溝５２Ｂの曲率が変化した区間に移動することに伴って、カム凸部５０が移動されるため、図１５中に示すＢ方向にスライド移動される。ティルトスライダ３２Ａ、３２Ｂは、Ｂ方向にスライド移動されることによって、ラック部４６を介してティルトリンクギア６０Ａを回転駆動させる。
【００８３】
ティルトリンクギア６０Ａは、回転駆動されることによって、連結軸６４を介してティルトリンクギア６０Ｂを一体的に回転駆動させる。ティルトリンクギア６０Ｂは、回転駆動されることによって、ティルト駆動板５８を図１５中に示すＢ方向にスライド移動させる。ティルト駆動板５８は、Ｂ方向にスライド移動されることによって、連結穴５８Ｂを介して揺動レバー５７を図１５中に示すＣ方向に揺動させる。
【００８４】
揺動レバー５７は、Ｃ方向に揺動されることによって、連結凸部５７Ｂを介してガイドレール５５を揺動させる。ガイドレール５５は、デッキブロック５６の第１のガイド穴５６Ａ乃至第５のガイド穴５６Ｅに沿って揺動されることによって、光ディスク２に対する光ピックアップ装置１４の対物レンズ１４Ａの光軸の傾きが変化する。
【００８５】
すなわち、ティルト機構部１０は、光ディスク２に対する対物レンズ１４Ａの光軸の傾きに応じて、コントロールギア３３を反時計方向又は時計方向に適宜回転駆動することによって、図１５中に示すＣ方向又はＤ方向に揺動されるガイドレール５５により光ピックアップ装置１４が揺動されるため、対物レンズ１４Ａのスキュー調整が行われる。
【００８６】
なお、ガイドレール５５は、図１５に示す傾斜状態が、揺動操作凸部５５Ｃを揺動支点として、反時計方向に揺動された限界状態である。ガイドレール５５は、コントロールギア３３が反時計方向に回転駆動されることよって、図１５に示す傾斜状態から図１６に示す傾斜状態に揺動されて、反時計方向の傾斜量が次第に小さくなる。
【００８７】
また、ガイドレール５５は、コントロールギア３３が更に回転駆動されることによって、図１６に示す傾斜状態から図１７に示す傾斜状態に揺動されて、光ディスク２に対する傾斜方向が反時計方向から時計方向に変化される。ガイドレール５５は、図１７に示す傾斜状態から図１８に示す傾斜状態に揺動されることによって、時計方向の傾斜量が次第に大きくされる。そして、ガイドレール５５は、図１８に示す傾斜状態が、揺動操作凸部５５Ｃを揺動支点として、時計方向に揺動された限界状態である。
【００８８】
そして、ティルト機構部１０は、ティルトスライダ５９がコントロールギア３３に常に係合されていることによって、落下等の衝撃により悪影響を受けることが防止されるため、ティルト動作の安定化が図られて、ティルト動作の信頼性が向上される。
【００８９】
また、ティルト機構部１０は、ローディング動作中に、所定方向に退避するためのばね等の弾性部材を備えていないことによって、コントロールギア３３を回転駆動することによるティルトサーボ動作の負荷に、ガイドレール５５の傾斜方向による差異が生じないため、ティルトサーボ動作を安定して行うことができる。
【００９０】
上述したように、実施の形態のディスクプレーヤ装置１は、ディスクトレィ５の載置面に直交する側面側にコントロールギア３３を有するローディング機構部８が配設されたことによって、光ディスク２が装置内部にローディングされた状態で、ローディング機構部８の分解、組立等の作業を容易に行うことが可能になるため、ローディング機構部８の修理やメンテナンス等の作業性を向上することができる。
【００９１】
また、ディスクプレーヤ装置１は、ローディング機構部８の機構全体が簡素化されるため、ローディング動作の安定化が図られて、ローディング動作の信頼性を向上することができる。
【００９２】
なお、本実施の形態に係るディスクプレーヤ装置１は、円盤状光記録媒体として光ディスクに適用されたが、光ディスクに限定されるものでなく、例えば、複数の光ディスクを貼り合わせた貼り合わせ光ディスクや、光磁気ディスク等の他の円盤状光記録媒体に適用されても良いことは勿論である。
【００９３】
【発明の効果】
上述したように本発明に係る光ディスク再生装置によれば、ローディング機構部のカムギアの回転軸が、ディスクトレィの載置面に平行に配設されたことによって、装置内部に光ディスクがローディングされた状態で、ローディング機構部の分解、組立等の作業を容易に行うことができるため、ローディング機構部の修理やメンテナンス等の作業性を向上することができる。
【００９４】
また、光ディスク再生装置は、ローディング機構部の機構全体が簡素化されるため、ローディング動作の安定化が図られてローディング動作の信頼性を向上することができる。
【図面の簡単な説明】
【図１】本発明に係る実施の形態のディスクプレーヤ装置を示す斜視図である。
【図２】上記ディスクプレーヤ装置を示す平面図である。
【図３】上記ディスクプレーヤ装置の全体構成を示す分解斜視図である。
【図４】上記ディスクプレーヤ装置の要部を示す分解斜視図である。
【図５】上記ディスクプレーヤ装置が備えるローディング機構部を示す分解斜視図である。
【図６】上記ディスクプレーヤ装置が備えるティルト機構部を示す分解斜視図である。
【図７】上記ディスクプレーヤ装置が備える駆動機構部を示す分解斜視図である。
【図８】上記ディスクプレーヤ装置が備える開閉機構部及びローディング機構部の動作を説明するために示す側面図である。
【図９】上記ディスクプレーヤ装置が備える開閉機構部及びローディング機構部の動作を説明するために示す側面図である。
【図１０】上記ディスクプレーヤ装置が備える開閉機構部及びローディング機構部の動作を説明するために示す側面図である。
【図１１】上記ディスクプレーヤ装置が備える開閉機構部及びローディング機構部の動作を説明するために示す側面図である。
【図１２】上記ディスクプレーヤ装置が備える開閉機構部及びローディング機構部の動作を説明するために示す側面図である。
【図１３】上記ディスクプレーヤ装置が備える開閉機構部及びローディング機構部の動作を説明するために示す側面図である。
【図１４】上記ディスクプレーヤ装置が備える開閉機構部及びローディング機構部の動作を説明するために示す側面図である。
【図１５】上記ディスクプレーヤ装置が備えるティルト機構部の動作を説明するために示す側面図である。
【図１６】上記ディスクプレーヤ装置が備えるティルト機構部の動作を説明するために示す側面図である。
【図１７】上記ディスクプレーヤ装置が備えるティルト機構部の動作を説明するために示す側面図である。
【図１８】上記ディスクプレーヤ装置が備えるティルト機構部の動作を説明するために示す側面図である。
【符号の説明】
１  ディスクプレーヤ装置、２  光ディスク、５  ディスクトレィ、８  ローディング機構部、３０  アイドラギア（移動用ギア）、３２Ａ，３２Ｂ  トレィスライダ、３３  コントロールギア（カムギア）、３７Ｃ  カム凸部、５２Ａ第１のカム溝（カム溝）
【図１】
0003572797.tif 000002
【図２】
0003572797.tif 000003
【図３】
0003572797.tif 000004
【図４】
0003572797.tif 000005
【図５】
0003572797.tif 000006
【図６】
0003572797.tif 000007
【図７】
0003572797.tif 000008
【図８】
0003572797.tif 000009
【図９】
0003572797.tif 000010
【図１０】
0003572797.tif 000011
【図１１】
0003572797.tif 000012
【図１２】
0003572797.tif 000013
【図１３】
0003572797.tif 000014
【図１４】
0003572797.tif 000015
【図１５】
0003572797.tif 000016
【図１６】
0003572797.tif 000017
【図１７】
0003572797.tif 000018
【図１８】
0003572797.tif 000019